(57)【要約】【課題】  居住者による安否応答を基本としてセンサの誤動作による誤報を無くし、更に不在通知を忘れても異常発生と判断しない。【解決手段】  集合住宅インターホンシステムの制御機４に居住者に対して体調確認を実施するための体調確認装置としての機能を持たせ、集合住宅インターホンシステムの居室親機２に制御機４から送信される体調確認信号の受信／応答を行う機能を持たせ、居住者が携行して制御機４と通信を実施し、制御機から送信される体調確認信号の受信／応答を行うための携帯端末６を有し、実施された体調確認の応答状況を表示する表示装置としての機能を管理室親機３に設けた。制御装置４の制御部４７が、携帯端末６或いは居室親機２から体調確認信号に対する応答信号を受信したら、応答状況を管理室親機３に通知して表示させる制御を行う。【選択図】  図１
2014107816.tif 000002
【特許請求の範囲】
【請求項１】
複数の住戸の居住者に対して体調の確認を実施するための体調確認装置と、
前記体調確認装置と伝送線を介して接続されて体調確認対象の各住戸に設置され、前記体調確認装置から送信される体調確認信号の受信／応答を行うための住戸端末と、
体調確認対象の個々の居住者が携行して前記体調確認装置と通信を実施し、前記体調確認装置から送信される体調確認信号の受信／応答を行うための携帯端末と、
実施された体調確認の応答状況を表示する表示装置とを有し、
前記体調確認装置は、携帯電話通信網を介して前記携帯端末と通信する外部通信部を備えると共に、前記携帯端末或いは前記住戸端末から前記体調確認信号に対する応答信号を受けたら、前記表示装置に通知して応答状況を表示させる確認制御部を有することを特徴とする居住者サポートシステム。
【請求項２】
前記体調確認信号を受信して、前記携帯端末は報音動作を含む報知動作を開始する一方、前記住戸端末は報音による報知を開始せず、
前記確認制御部は、体調確認開始後、一定時間が経過しても応答信号の返信がない居住者に対して、関連する前記住戸端末に対して報音指示信号を送信して報音を伴う報知動作を実施させることを特徴とする請求項１記載の居住者サポートシステム。
【請求項３】
前記住戸端末は、居住者の不在を前記体調確認装置に通知する不在設定部を有し、
前記確認制御部は、不在通知を受けた前記住戸端末に対しては体調確認信号を送信しないことを特徴とする請求項１又は２記載の居住者サポートシステム。
【請求項４】
前記確認制御部は、体調確認動作中に、不在設定された前記住戸端末が不在キャンセル操作されてキャンセル信号の通知を受けたら、前記住戸端末へ体調確認信号の送信を実施することを特徴とする請求項３記載の居住者サポートシステム。
【請求項５】
前記体調確認装置は、居住者の服薬時刻を登録する服薬時間記憶部を有し、
前記確認制御部は、登録された前記服薬時刻になったら該当する居住者の前記住戸端末及び前記携帯端末に対して服薬通知信号を送信することを特徴とする請求項１乃至４の何れかに記載の居住者サポートシステム。
【請求項６】
前記住戸端末が、集合住宅の個々の住戸に設置されて集合玄関に設置された集合玄関機による来訪者の呼び出しに応答するための居室親機であると共に、
前記表示装置が、集合住宅の管理室に設置されて来訪者や居住者と通話が可能な管理室親機であり、
更に前記体調確認装置が、前記集合玄関機、前記居室親機、前記管理室親機の各機器の間の通話を制御する制御機であり、集合住宅に設置された集合住宅インターホンシステムと一体に構成されて成ることを特徴とする請求項１乃至５の何れかに記載の居住者サポートシステム。
【発明の詳細な説明】
【技術分野】
【０００１】
本発明は、居住者が携行する携帯端末を利用して居住者の体調等を確認可能として居住者の健康をサポートする居住者サポートシステムに関し、特に高齢者向けの集合住宅に適した居住者サポートシステムに関する。
【背景技術】
【０００２】
インターホンを利用して居住者の安否を確認するシステムがある。例えば特許文献１では、集合住宅の各住戸に設置された居室親機に、体調確認の応答をする応答ボタンや緊急事態の発生を通知する緊急呼出ボタンを備え、更に人感センサ等のパッシブセンサが接続されて安否信号を自動生成して居住者の状態を通知する機能を設ける一方、管理室親機に安否信号を受信して応答結果を表示する機能を設けている。
【先行技術文献】
【特許文献】
【０００３】
【特許文献１】特開２００１−３０９０６２号公報
【発明の概要】
【発明が解決しようとする課題】
【０００４】
上記特許文献１のシステムは、パッシブセンサの動作信号を受けて居住者の安否情報を入手できるため、居住者の応答ボタン操作が無くても体調確認を行うことができた。しかしながら、居住者に異常が発生しているにも関わらずパッシブセンサの誤動作により信号が出力されると、異常は発生していないと判断されてしまい異常発生を認識できない問題があったし、居住者が不在を通知せずに外出した場合は、逆に異常発生と判断してしまう問題があった。
【０００５】
そこで、本発明はこのような問題点に鑑み、センサに頼らず居住者からの応答により居住者の体調を把握することでセンサの誤動作による誤報を無くし、更に居住者が不在通知を忘れて外出しても異常発生と判断されることのない居住者サポートシステムを提供することを目的としている。
【課題を解決するための手段】
【０００６】
上記課題を解決する為に、請求項１の発明は、複数の住戸の居住者に対して体調確認を実施するための体調確認装置と、体調確認装置と伝送線を介して接続されて体調確認対象の各住戸に設置され、体調確認装置から送信される体調確認信号の受信／応答を行うための住戸端末と、体調確認対象の個々の居住者が携行して体調確認装置と通信を実施し、体調確認装置から送信される体調確認信号の受信／応答を行うための携帯端末と、実施された体調確認の応答状況を表示する表示装置とを有し、体調確認装置は、携帯電話通信網を介して携帯端末と通信する外部通信部を備えると共に、携帯端末或いは住戸端末から体調確認信号に対する応答信号を受けたら、表示装置に通知して応答状況を表示させる確認制御部を有することを特徴とする。
この構成によれば、居住者は携帯端末と住戸端末の双方から体調確認の通知を受けるため、通知に気づきやすく応答し易い。また、体調確認の通知を受けて携帯端末から応答できるため、外出した状態でも応答でき、居住者の在不在に関わらず体調確認ができ誤報が生じ難い。そして、確認結果が表示装置に表示されるため、管理者は居住者の状況を把握し易い。
【０００７】
請求項２の発明は、請求項１に記載の構成において、体調確認信号を受信して、携帯端末は報音動作を含む報知動作を開始する一方、住戸端末は報音による報知を開始せず、体調確認制御部は、体調確認開始後、一定時間が経過しても応答信号の返信がない居住者に対して、関連する住戸端末に対して報音指示信号を送信して報音を伴う報知動作を実施させることを特徴とする。
この構成によれば、まず携帯端末のみが報音することから室内に設置された住戸端末が報音して居住者を驚かせるのを防止できるし、応答がない場合には住戸端末も報音するため、居住者が聞き逃すことを防ぐことができる。
【０００８】
請求項３の発明は、請求項１又は２に記載の構成において、住戸端末は、居住者の不在を体調確認装置に通知する不在設定部を有し、確認制御部は、不在通知を受けた住戸端末に対しては体調確認信号を送信しないことを特徴とする。
この構成によれば、居住者が外出等で不在の住戸では住戸親機が報音することを防ぐことができ、近隣に不安を抱かせるのを防ぐことができるし、住戸親機からの応答操作を待つ必要が無く体調確認を簡略にできる。
【０００９】
請求項４の発明は、請求項３に記載の構成において、確認制御部は、体調確認動作中に、不在設定された住戸端末が不在キャンセル操作されてキャンセル信号の通知を受けたら、住戸端末へ体調確認信号の送信を実施することを特徴とする。
この構成によれば、体調確認動作中に居住者が帰宅したら、住戸端末も体調確認動作を開始するため、居住者は体調確認の通知を確実に認識できる。
【００１０】
請求項５の発明は、請求項１乃至４の何れかに記載の構成において、体調確認装置は、居住者の服薬時刻を登録する服薬時間記憶部を有し、確認制御部は、登録された服薬時刻になったら該当する居住者の住戸端末及び携帯端末に対して服薬通知信号を送信することを特徴とする。
この構成によれば、服薬の時刻になったことが通知されるので、居住者は服薬忘れを防止できる。
【００１１】
請求項６の発明は、請求項１乃至５の何れかに記載の構成において、住戸端末が、集合住宅の個々の住戸に設置されて集合玄関に設置された集合玄関機による来訪者の呼び出しに応答するための居室親機であると共に、表示装置が、集合住宅の管理室に設置されて来訪者や居住者と通話が可能な管理室親機であり、更に体調確認装置が、集合玄関機、居室親機、管理室親機の各機器の間の通話を制御する制御機であり、集合住宅に設置された集合住宅インターホンシステムと一体に構成されて成ることを特徴とする。
この構成によれば、集合住宅に設置された集合住宅インターホンシステムを居住者サポートシステムとして機能させるため、別途居住者サポートシステムを設置する必要がないし、機器間の通信や報音部等は共通する回路を使用でき、安価に構成できる。
【発明の効果】
【００１２】
本発明によれば、居住者は携帯端末と住戸端末の双方から体調確認の通知を受けるので居住者が気づきやすく応答し易い。また、体調確認を受けて携帯端末から応答できるため、外出した状態でも応答でき、居住者の在不在に関わらず体調確認ができ誤報が生じ難い。
【図面の簡単な説明】
【００１３】
【図１】本発明に係る居住者サポートシステムの一例を示す構成図である。
【発明を実施するための形態】
【００１４】
以下、本発明を具体化した実施の形態を、図面を参照して詳細に説明する。図１は本発明の居住者サポートシステムを組み込んだ集合住宅インターホンシステムの構成図を示し、１は来訪者が居住者を選択して呼び出すためにエントランス等の集合玄関に設置された集合玄関機、２は集合玄関機１からの呼び出しを受けて居住者が応答するために各住戸内に設置された居室親機、３は来訪者や居住者と管理人が通話するために管理室に設置された管理室親機、４は集合玄関機１、居室親機２、管理室親機３の各機器の間の通話を制御する制御機、５は個々の住戸玄関に設置されて居住者を呼び出すための玄関子機、６は制御機４と通信を実施する携帯端末である。
【００１５】
集合玄関機１、管理室親機３は、それぞれ伝送線Ｌ１，Ｌ２を介して制御機４に接続され、居室親機２は親機幹線Ｌ３を介して制御機４に接続されている。携帯端末６は、携帯電話会社が構築する携帯電話通信網Ｎを介して制御機４と通信を実施する。
【００１６】
集合玄関機１は、訪問先の居住者の住戸を選択して呼出操作する操作部１１、来訪者を撮像するカメラ１２、呼出先と通話するための通話部１３等を備えている。
【００１７】
居室親機２は、集合玄関機１のカメラ１２が撮像した来訪者映像を表示するモニタ２１、通話すると共に呼出音等を報音する音響部２２、通話操作や体調確認の応答操作等を行う操作部２３、居室親機２を制御する居室ＣＰＵ２４、制御機４と通信するための居室ＩＦ２５等を備えている。尚、２６は居室親機２に接続された火災センサや人感センサ等のセンサを示している。
【００１８】
管理室親機３は、居室親機２の呼出操作等各種操作を行う操作部３１、来訪者映像を表示するモニタ３２、通話するための音響部３３、管理室親機３を制御する管理室ＣＰＵ３４、制御機４と通信するための管理室ＩＦ３５等を備えている。そして、操作部３１は、管理者が体調確認する際の操作部であるし、モニタ３２は体調確認結果を表示する表示部でもある。 
【００１９】
制御機４は集合玄関機１と通信する集玄ＩＦ４１、居室親機２と通信する居室ＩＦ４２、管理室親機３と通信する管理室ＩＦ４３、集合玄関扉（図示せず）の電気錠と通信する電気錠ＩＦ４４、携帯端末６と通信するために携帯電話通信網Ｎと接続する外部通信ＩＦ４５、携帯端末アドレス等の通信先情報や体調確認情報等を記憶する記憶部４６、機器間の通信に加えて、居室親機２や管理室親機３の表示を制御し、更に管理室親機３の操作を受けて或いは所定の時間間隔（例えば２４時間間隔）で居室親機２と携帯端末６に対して体調確認を実施する制御部４７等を備えている。
記憶部４６は、具体的には携帯端末アドレスに加えて、住戸番号と居室親機とを関連付けた居室親機テーブル、居室親機と居住者とを関連付けた居室親機テーブル、携帯端末と居住者とを関連付けた携帯端末テーブル、更に居住者の不在設定等を記憶する。
【００２０】
携帯端末６は、体調確認要求を受けて応答操作する表示切り替え、及び通信動作を実行するアプリ(アプリケーションソフトウェア)がインストールされた携帯型の通信機器であり、各種情報を表示するディスプレイ６ａ、ディスプレイ６ａに一体に設けられているタッチパネルから成る操作部６ｂを備え、制御機４からの体調確認信号に基づいて、体調確認要求情報をディスプレイ６ａに表示し、体調確認要求に対する応答情報を操作部６ｂから入力する。
具体的に携帯端末６は、例えばｉＰａｄ（登録商標）やＡｎｄｒｏｉｄ（登録商標）等のタブレット型の端末、或いはｉＰｈｏｎｅ（登録商標）やＡｎｄｒｏｉｄ（登録商標）搭載型のスマートフォンが使用される。
【００２１】
上記の如く構成された集合住宅インターホンシステムにおいて、本発明の居住者サポートシステムとして居住者の体調確認を行う動作を以下説明する。居住者の体調確認は、制御機４から定期的に体調確認信号を各居室親機２及び携帯端末６に対して一斉送信して実施する場合と、管理室親機３の操作によって体調確認信号が一斉に送信される場合と、管理室親機３の操作により選択した住戸に対してのみ体調確認信号が送信される場合の３通りがあるが、個々の居住者に対する確認動作は同様であるため、一斉に実施する場合を中心に説明する。尚、後述する不在設定はされていないものとする。
【００２２】
管理室親機３から所定の体調確認操作が実施されると、確認要求信号が制御機４に送信され、制御部４７の制御により全ての居室親機２及び居住者の携帯端末６に対して、安否応答を要求する体調確認信号が送信される。また、制御機４において設定された体調確認時刻になると、同様に制御部４７の制御で全ての居室親機２及び居住者の携帯端末６に対して、体調確認信号が送信される。
具体的に体調確認信号の送信は、制御部４７が記憶部４６から居住者に関連付けられている携帯端末６のメールアドレス、及び携帯端末６が保持しているアプリを起動させるためのＩＤ等の識別符号を読み出し、全ての携帯端末６に対して体調確認の応答を要求する体調確認信号を送信する。体調確認信号は、外部通信ＩＦ４５から携帯電話通信網Ｎを介して携帯端末６に送信される。
また、同時に制御部４７は体調確認信号を居室親機２に対しても送信し、親機幹線Ｌ３を介して各居室親機２に伝送される。
【００２３】
体調確認信号を受信した携帯端末６は、体調確認のためのアプリが起動し、起動したアプリによりディスプレイ６ａに例えば「体調確認の入力を行なって下さい」のメッセージが表示され、更にメロディ等の音響鳴動を開始させて報音通知し、応答要求動作を実施する。
一方、体調確認信号を受信した居室親機２は、居室ＣＰＵ２４の制御で体調確認動作を開始し、モニタ２１に携帯端末６と同様に例えば「体調確認の入力を行なって下さい」のメッセージが表示される。この居室親機２にも、携帯端末６にインストールしたアプリと同一のユーザーインターフェースを有するソフトウェアが予めインストールされている。
【００２４】
尚、この最初の段階で居室親機２は体調確認の表示のみで報音は行わない。また、体調確認信号を受けて表示するメッセージは、更に選択項目を設けて選択させても良く、例えば「１．良好です。２．普通です。３．あまり良くありません。」と表示して選択させても良い。
【００２５】
報音通知により携帯端末６の表示を確認した居住者が、携帯端末６の操作部６ｂを応答操作すると、体調確認の応答信号が携帯電話通信網Ｎを介して制御機４に返信される。同時に報音動作も停止する。応答信号を受信した制御機４は、記憶部４６に応答情報を記憶し、応答信号送信元の携帯端末６に関連付けられている居室親機２に対して体調確認の終了信号を送信する。この終了信号を受信した居室親機２は、体調確認の応答要求動作を終了する。
【００２６】
一方、居室親機２で返信しても良く、その場合は以下の様である。居室親機２と携帯端末６の双方で体調確認のメッセージを表示している状態で、居住者が居室親機２の操作部２３を操作して返信すると、応答信号が制御機４に送信される。この応答信号を受信した制御機４は、制御部４７の制御で記憶部４６に応答情報を記憶するとともに、携帯電話通信網Ｎを介して応答操作した居室親機２に関連付けられている携帯端末６に対して、体調確認を終了する終了信号を送信する。終了信号を受信した携帯端末６は、ディスプレイ６ａの表示を停止するとともに音響鳴動を停止し、応答要求動作を終了する。
【００２７】
但し、応答信号を受信しない場合は以下のように動作する。制御部４７は、体調確認信号を送信後、所定時間（例えば１分間）応答信号がなければ、該当する住戸の居室親機２に対して、報音指示信号を含む体調確認信号に切り替えて送信する。この体調確認信号を受信した居室親機２は、居室ＣＰＵ２４の制御によりモニタ２１に「体調確認の入力を行なって下さい」とのメッセージを引き続き表示させるとともに、音響部２２よりメロディ等の音響鳴動を開始させて応答要求動作を実施する。
尚、この居室親機２での音響鳴動は、その後も居住者の応答操作が無ければ、音響部２２の音響鳴動の音量を上げて、居住者の応答を促しても良い。
【００２８】
こうして居室親機２と携帯端末６の双方で体調確認のメッセージを表示し、且つ報音している状態で、居住者が居室親機２の操作部２３を応答操作すると、居室ＣＰＵ２４が応答信号を制御機４に出力し、体調確認動作を終了する。制御機４の制御部４７は居室親機２からの応答信号を受けて、記憶部４６に応答情報を記憶し、居室親機２に関連付けられている携帯端末６に対して、体調確認を終了する終了信号を送信する。終了信号を受信した携帯端末６は、ディスプレイ６ａの表示を停止するとともに、音響部の音響鳴動を停止して応答要求動作は終了する。
【００２９】
制御部４７は、体調確認信号を送信した後、応答を待つ一定時間（例えば３分）が経過したら、その間返信された応答信号を元に管理室親機３に体調確認の応答結果を送信し、管理室親機３のモニタ３２に結果である体調確認情報を表示させる。管理人はこの表示を見ることで体調確認の結果を把握することができる。尚、この表示は、応答信号を受信した順に順次管理室親機３に送信して表示させても良い。
【００３０】
また制御部４７は、体調確認信号を送信してから所定時間（例えば５分）が経過したら体調確認動作を終了し、その間応答が無かった居住者が居る場合は管理室親機３に異常発生信号を送信し、管理室親機３はモニタ３２に異常発生の表示（異常発生住戸番号と居住者名の表示）を行なうと共に、音響部３３から警報報知を行なう。この結果、管理人が異常発生を認識して居住者の住戸に赴き、居住者の異常事態に対応することができる。
【００３１】
このように、居住者は携帯端末６と居室親機２の双方から体調確認の通知を受けるため、気づきやすく応答し易い。また、体調確認を受けて携帯端末６から応答できるため、外出した状態でも応答でき、居住者の在／不在に関わらず体調確認ができ誤報が生じ難い。そして、確認結果が管理室親機３に表示されるため、管理者は居住者の状況を把握し易い。
また、まず携帯端末６のみが報音することから室内に設置された居室親機２が報音して居住者を驚かせるのを防止できるし、応答がない場合には居室親機２も報音するため、居住者が聞き逃すことを防ぐことができる。
そして、集合住宅に設置された集合住宅インターホンシステムを居住者サポートシステムとして機能させるため、別途居住者サポートシステムを設置する必要がないし、機器間の通信等は共通する回路を使用でき、安価に構成できる。
【００３２】
次に、不在設定した場合の動作を説明する。
これまでの動作は居住者が在室の場合、或いは不在設定せずに携帯端末６を携行して外出した場合の動作を説明したが、居住者が居室親機２を操作して不在設定して外出した場合の体調確認動作を次に説明する。
先ず、居室親機２で所定の操作で或いは専用の不在設定ボタンを操作することで不在設定が成されると、居室親機２から制御機４に対して不在信号が送信され、制御機４において不在信号送信元の居住者が不在である旨が記憶部４６に記憶される。この記憶は、居室親機２からキャンル信号が送信されるまで維持される。
【００３３】
この不在設定された居室親機２が存在する状態で体調確認が開始されると、制御機４は全ての居住者の携帯端末６と不在設定された居室親機２を除く他の全ての居室親機２に対して体調確認信号を送信する。制御部４７は、居住者が在室であるか不在であるか記憶部４６から読み取り、不在設定されている居室親機２には体調確認信号を送信しない。
以下、不在設定されていない居室親機２及びその住戸の居住者が携行する携帯端末６に関しては上記動作と同様であるため説明を省略し、不在設定された居室親機２及びその住戸の居住者が携行する携帯端末６の動作を説明する。
【００３４】
居室親機２にて不在設定操作した居住者が携行する携帯端末６は、体調確認信号を受信して体調確認のためのアプリを起動し、ディスプレイ６ａに例えば「体調確認の入力を行なって下さい」とのメッセージを表示するとともに、メロディ等の音響鳴動を行なう。
一方、不在設定された居室親機２は体調確認信号を受信しないため、応答要求動作を実施しない。
【００３５】
この段階で不在設定した居住者が、外出先等で携帯端末６の操作部６ｂを応答操作すると、体調確認の応答信号が携帯電話通信網Ｎを介して制御機４に送信され、制御部４７は記憶部４６に応答情報を記憶し、この居住者に対する体調確認を終了する。
【００３６】
しかし、体調確認信号を送信してから応答操作されずに居住者が帰宅した場合は以下のように動作する。たとえば、体調確認信号を送信してから確認動作を終了する５分が経過する前に、帰宅した居住者により居室親機２が不在設定解除操作が成されたら、不在設定を解除するキャンセル信号が制御機４に送信され、制御部４７はこのキャンセル信号を受けて不在設定を解除すると共に、キャンセル信号の送信元居室親機２に対して体調確認信号の送信を開始する。
但し、この時送信される体調確認信号は報音指示信号を含み、受信した居室親機２は、居室ＣＰＵ２４の制御でモニタ２１に例えば「体調確認の入力を行なって下さい」とのメッセージを表示させるとともに、音響部２２よりメロディ等の音響鳴動を行なわせて応答要求動作を実施させる。
【００３７】
この居室親機２の応答要求動作に気づいた居住者により、居室親機２から応答操作が成されたら、応答信号が制御機４に送信される。そして、この応答操作により居住者に対する体調確認は終了し、居室親機２、及び携帯端末６の双方の応答要求動作は終了する。
また、体調確認信号を送信してから所定時間（例えば５分）が経過したら体調確認動作を終了する。そして、その間応答が無かった居住者が居る場合は、上述したように制御機４から管理室親機３に異常発生信号が送信され、管理室親機３のモニタ３２に異常発生が表示されて警報発報動作が実施される。
【００３８】
このように、居住者が外出等で不在の住戸では居室親機２が報音することを防ぐことができ、近隣に不安を抱かせるのを防ぐことができるし、居室親機２からの応答操作を待つ必要が無く体調確認を簡略にできる。
また、体調確認時に居住者が帰宅したら、不在設定解除操作を受けて居室親機２も報音するため、居住者が携帯端末６の応答要求動作に気づかなくても、居室親機２の報音で確実に認識できる。
【００３９】
尚、居室親機２に接続されているセンサ２６が人感センサやドアセンサ等の人物の存在を検知できる場合は、このセンサ信号を受けて居室ＣＰＵ２４がキャンセル信号を出力し、不在設定を解除させても良く、居住者による不在設定の解除忘れを防止できるし、解除操作する前に居室親機２に応答要求動作させることができる。
また、上記実施形態では、集合住宅インターホンシステムを利用して居住者サポートシステムを構築しているが、専用のシステムを形成しても良いし、他の通信システムを利用して構成しても良い。
【産業上の利用可能性】
【００４０】
上記居住者サポートシステムは、居住者の服薬管理システムとしても利用することができる。制御機４に服薬時間を記憶させ、合わせて関連アプリを起動させるＩＤ等を記憶させておき、投薬を通知する投薬名等を表示させるアプリを携帯端末６にインストールし、制御機４が所定の服薬時間になったら服薬確認信号を体調確認信号と同様に、対応する携帯端末６及び居室親機２に送信し、この信号を受信した携帯端末６及び居室親機２に、例えば「薬を飲む時間です」と表示させて確認信号の返信を行わせることで、居住者に対する服薬のサポートを実施でき、居住者の服薬忘れを防止できる。
【００４１】
更に、この居住者サポートシステムは、居住者の脈拍や血圧等のバイタルデータの管理に使用することも可能である。制御機４にバイタルデータを入手するための関連アプリを起動させるＩＤ等を記憶させておき、バイタルデータを送信するよう表示させるアプリを携帯端末にインストールし、管理室親機の所定のバイタルデータ要求操作により検診通知信号を体調確認信号と同様に送信し、居住者自身が計測したデータを携帯端末６に入力することで管理室親機３のモニタ３２に居住者の脈拍や血圧等のバイタルデータを表示させて健康管理をサポートすることも可能である。
【符号の説明】
【００４２】
１・・集合玄関機、２・・居室親機（住戸端末）、３・・管理室親機（表示装置）、４・・制御機（体調確認装置）、６・・携帯端末、６ａ・・ディスプレイ、６ｂ・・操作部、１１・・操作部、１３・・通話部、２１・・モニタ、２２・・音響部、２３・・操作部（不在設定部）、３１・・操作部、３２・・モニタ、３３・・音響部、３４・・管理室ＣＰＵ、４５・・外部通信ＩＦ（外部通信部）、４６・・記憶部（服薬時間記憶部）、４７・・制御部（確認制御部）、Ｎ・・携帯電話通信網。
【図１】
2014107816.tif 000003